(57)【要約】【課題】  設計図面作成時に、仕様データ入力段階において、設計図面と同時に、製造設計に必要な製造設計等データを自動作成すると同時に、作成された製造設計等データを使用して、製造図面を自動作成することのできる設計製造支援システムを提供すること。【解決手段】  設計に必要な仕様データを入力する装置と、前記仕様データにより図面を作成、編集する装置とを具備する図面作成編集装置と、製造設計及び据付・調整あるいは保守に必要な製造設計等データを格納するサーバ５７，５８と、前記図面作成編集装置および前記サーバを管理するホストコンピュータ３０とを備え、前記仕様データの入力に基いて前記製造設計等データが作成されるとともに、前記製造設計等データのデータベースの内容を更新することを特徴とする設計製造支援システム。【選択図】  図１
2006065742.tif 000002
【特許請求の範囲】
【請求項１】
設計に必要な仕様データを入力する装置と、
前記仕様データにより、図面を作成、編集する図面作成編集装置と、
製造設計及び据付・調整あるいは保守に必要な製造設計等データを格納するサーバと、
前記図面作成編集装置および前記サーバを管理するホストコンピュータとを備え、
前記仕様データの入力に基づいて前記製造設計等データが作成されるとともに、前記製造設計等データの内容を更新することを特徴とする設計製造支援システム。
【請求項２】
請求項１に記載の設計製造支援システムにおいて、
前記仕様データと前記製造設計等データとから、設計に関係する図面、意匠に関係する図面、製造に関係する図面、据付に関係する図面が設計段階で作成される
ことを特徴とする設計製造支援システム。
【請求項３】
請求項１に記載の設計製造支援システムにおいて、
前記仕様データとして、設計仕様データと法規制上のデータとが含まれ、
前記製造設計等データとして意匠関連データ、部品関連データ、製造関連データ、据付・保守関連データが含まれる
ことを特徴とする設計製造支援システム。
【請求項４】
請求項１に記載の設計製造支援システムにおいて、
前記図面作成編集装置により設計図面を作成する段階において、設計上、意匠上、製造上あるいは据付・調整あるいは保守上の制約条件をチェックする機能を有することを特徴とする設計製造支援システム。
【発明の詳細な説明】
【技術分野】
【０００１】
本発明は、図面作成を支援する設計製造支援システムに関する。
【背景技術】
【０００２】
従来、昇降機を製造するまでの過程において、意匠図面や据付図面は、製造図面として設計図面を参照しながら個別に作成されている。一方最近の技術進歩は早く、短いインターバルで新製品が市場に投入される。昇降機において代表的なエレベータをとってもその例外ではない。
【０００３】
特にエレベータは、使用機器ごとに部品の状態で工場から出荷され、納入先に据付けられて初めて完成品となり、更に、その後の保守点検により性能維持が図られている。このため、据付図面設計者及び保守図面設計者は、エレベータに関する技術的に高度な専門知識を必要とし、新たに開発されたエレベータが市場に投入される都度、再設計が行われているのが現状である。
【０００４】
従来の設計製造ステップの流れは、以下の通りであった。建築図及び顧客要求仕様書をもとにして、設計図面あるいは製造図面の表示画像を参考にしながら、人手により編集入力情報を端末から入力し、設計図面画像印刷情報あるいは製造図面画像印刷情報を出力する。この情報に基づき製造システムに対するデータ入力がやはり人手により行われる。従来でもこれら一連の流れを一部自動化した設計製造支援システムが存在し、前記の機能を支援するものとしてそれぞれ、図面データ入力機能、設計図面自動作成機能、設計図面編集機能、製造データ自動作成機能を備えている。
【０００５】
例えば、特許文献１では、顧客向けのエレベータを集中管理する技術センタに、顧客のエレベータごとに使用機器が記録された顧客情報ファイルと、使用機器ごとに技術情報が記録された技術情報ファイルとを備えた管理装置を設置し、図面設計者が精通していない機種のエレベータであっても据付又は保守図面が作図できるように技術支援を行うものである。
【０００６】
また、特許文献２では、従来、エレベータの仕様のうち意匠仕様について、意匠デザインを公募し、応募されたデザインを記憶装置に格納し、入出力装置からエレベータの意匠デザインが閲覧されると、所定のエレベータの意匠デザインを表示する制御装置とを備えることで、デザインの決定が容易になり、意匠仕様を早期に決定できるようにしている。
【特許文献１】特開2002-205882号公報
【特許文献２】特開2002-117208号公報
【発明の開示】
【発明が解決しようとする課題】
【０００７】
上記のような場合、いずれの場合においても制約条件を加味した製造図面作成は行われておらず、従来通りに人間系で製造図面作成に必要な製造設計等データを作成し、さらに、この製造設計等データに基づいて製造図面を作成している。このため、設計図面と製造図面とが矛盾することもあり、そのチェック及び確認に手間が取られ、図面作成だけでなく図面のチェック及び確認のために膨大な時間と労力が費やされているという問題点がある。
【０００８】
本発明は上述の点を考慮してなされたもので、設計図面作成時に、仕様データ入力段階において、設計図面と同時に、製造設計に必要な製造設計等データを自動作成すると同時に、作成された製造設計等データを使用して、製造図面を自動作成することのできる設計製造支援システムを提供することを目的とする。
【課題を解決するための手段】
【０００９】
上記目的達成のため、本発明では、
設計に必要な仕様データを入力する装置と、前記仕様データにより、図面を作成、編集する図面作成編集装置と、製造設計及び据付・調整あるいは保守に必要な製造設計等データを格納するサーバと、前記図面作成編集装置および前記サーバを管理するホストコンピュータとを備え、前記仕様データの入力に基づいて前記製造設計等データが作成されるとともに、製造設計等データの内容を更新することを特徴とする設計製造支援システム、
を提供するものである。
【発明の効果】
【００１０】
本発明によれば、仕様データとエレベータの製造図面、据付図面あるいは意匠図面を含む製造設計等データが人手を介さず作成されるので、エレベータの仕様データと製造設計等データとの間の整合性の欠落あるいは矛盾を無くしチェック漏れを減少させ、人手による図面チェックの手間を短縮することができる。
【発明を実施するための最良の形態】
【００１１】
以下、添付図面を参照して本発明の実施の形態を説明する。各図中、同一符号は同一構成要素又は相当部分を示す。
【実施例１】
【００１２】
図１は、本発明の実施例１による設計製造支援システムの全体構成図である。
【００１３】
図１に示すように、本実施形態の設計製造支援システムは、例えば管理会社４４と設計会社４５とをネットワーク３３にて接続した状態を想定してなるものである。ここでは主として昇降機、特にエレベータの受注を前提としたシステムについて説明するが、他の受注品の場合にも適用可能である。
【００１４】
管理会社４４はホストコンピュータ３０を備えるとともに、このホストコンピュータ３０と入出力を行う記憶装置３１を有する。また、ホストコンピュータ３０には設計に基づき発生する料金を算出するための料金算出演算装置４６が接続されている。なおホストコンピュータ３０には本発明による設計図面データベース（以下、データベースをＤＢと略記する）が組み込まれている。
【００１５】
一方、設計会社４５には、ホストコンピュータ３０に接続される制御装置３２と、キーボード、マウスやディスプレイなどの入出力端末等からなり制御装置３２に接続される入出力装置３５を有する。
【００１６】
管理会社４４と設計会社４５とを接続するネットワーク３３は、例えばＷＡＮやＬＡＮ（有線あるいは無線）等で構成されている。このネットワーク３３はセキュリティ保護がなされていることが好ましい。
【００１７】
ホストコンピュータ３０の内部機能は、図１の下側に示されるようになっている。すなわち、設計図面自動作成機能３７からの出力は設計図面編集機能３８に入力される。そして出来あがった設計図面の情報は設計図面出力機能４１によりディスプレイ画面表示あるいはプリントアウトされるとともに、製造データ自動作成機能３９へと送られる。
【００１８】
製造データ自動作成機能３９では、設計図面の情報を製造データに変換する。そして、製造データ自動出力機能４０と製造図面出力機能４２に送ることより、製造データや製造図面をディスプレイ画面表示またはプリントアウトする。また同時に、製造データ自動作成機能３９で制作された製造データは、製造システム２６に出力される。
【００１９】
設計会社４５のユーザーは、各自が保有する入出力装置３５から、ネットワーク３３を経由して管理会社４４内のホストコンピュータ３０にアクセスする。例えば、入出力装置３５により「エレベータ」を指定すると、ホストコンピュータ３０に接続された記憶装置を参照し、「エレベータ」についての各図面名が記載されたライブラリの内容が、ディスプレイ画面に表示される。
【００２０】
図面作成者は、画面上でのクリック操作により所望の図面名を指定することができる。例えば、「型式」をクリックすると、エレベータの型式についての一覧表が表示される。同様にして、記憶装置３１内に保存されている指定型式の意匠関連データ、部品関連データ及び据付関連データにもアクセスすることができる。
【００２１】
図２は、図１に示したホストコンピュータ３０の機能をシステム毎に表現した構造図である。
【００２２】
図２において、ＣＡＤシステム５５は前述の設計図面自動作成機能３７、設計図面編集機能３８、設計図面出力機能４１を備えたシステムである。このように、ＣＡＤシステム５５は設計図面を作成することを主としているため、本発明では機器適用システム５６と言うことができる。
【００２３】
一方、工作機械製作システム６１は前述の製造データ自動作成機能３９、製造データ自動出力機能４０、製造図面出力機能４２、製造システム２６を備えたシステムである。
【００２４】
これらＣＡＤシステム５５と工作機械製作システム６１との間には、図書管理システム５９を内在するＡサーバ５７と、受注売り上げ管理システム６０を内在するＢサーバ５８が介在する。Ａサーバ５７は管理会社４４に蓄積された設計図面を含む図書資料を管理するためのものであり、Ｂサーバ５８は当該図書資料に基づいて算出される材料費や製造費を管理するためのものである。
【００２５】
なお、Ａサーバ５７とＢサーバ５８はホストコンピュータ３０により管理される。
【００２６】
仕様決定支援システム５２は、全国営業所に複数台設置された管理会社４４の営業担当の入出力端末を含み、後述の受注売り上げ管理システム６０に接続されている。機器適用システム５６は、例えば全国営業所に複数台設置されたＣＡＤシステムの入出力端末を接続して構成することも可能である。
【００２７】
また、図書管理システム５９及び受注売り上げ管理システム６０は、通常のサーバと同様、管理会社４４のシステムセンター内で管理されている。
【００２８】
なお、これら各システムはネットワークにより相互に接続されている。
【００２９】
このように構成された設計製造システムの運用方法は、以下の２ステップから構成される。ステップＳ１として、営業担当者が見積情報を入力する。ステップＳ２として、営業担当者が設計担当者へ作図を依頼する。
【００３０】
図３は、各機能の連係状態を説明するフローチャートである。以下、図３に基づいて、各ステップ毎に詳細内容を説明する。
【００３１】
ステップＳ１：営業担当者が見積仕様を入力する段階
まず、顧客の要求に応じて、仕様決定支援システム５２の入出力端末からエレベータの機種、かご室の仕様、乗場の仕様などを入力する（ステップＳ１１）。
【００３２】
次に、建築図を参照しながら、仕様決定支援システム５２を介して建物の床面積、階高などを入力する（ステップＳ１２）。
【００３３】
次いで、入力した情報に基づいて仕様決定支援システム５２内の仕様決定ルールＤＢによって自動判定され、エレベータの見積書が作成される（ステップＳ１３）。
【００３４】
この後、見積書を顧客に提出すると共に、その内容を符号化し、受注売り上げ管理システム６０に送信する（ステップＳ１４）。
【００３５】
そして、符号化したデータは、見積仕様データとしてテキストファイルで保存される（ステップＳ１５）。
【００３６】
続いて、顧客の要望により仕様の変更が生じた場合、ステップＳ１１からステップＳ１５までの作業を繰り返す（ステップＳ１６）。
【００３７】
ステップＳ２：営業担当者が設計担当者へ作図を依頼する段階
まず、営業担当者は見積仕様データを、設計担当者ヘ送信する。次に、営業担当者は建築図を、設計担当者ヘ送信する。
【００３８】
このようにして、本発明に係る設計製造支援システムでは、仕様決定支援システム５２の一部である仕様データ入力装置と、入力された仕様データにより図面を作成、編集するＣＡＤシステム５５からなる図面作成編集装置と、製造設計及び据付・調整あるいは保守に必要な製造設計等データを格納するＡサーバ５７およびＢサーバ５８からなるサーバと、これら図面作成編集装置とサーバとを管理するホストコンピュータとから構成され、仕様データの入力に基づいて製造設計等データが作成されるとともに、製造設計等データの内容を更新する。
【００３９】
さらに、仕様データと製造設計等データとから、例えば設計図面、意匠図面、製造図面、据付図面が設計段階で作成され出力されるものである。ここで、仕様データとして設計仕様データと法規制上のデータ（各種制約条件など）とが含まれ、製造設計等データとして例えば意匠関連データ、部品関連データ、製造関連データ、据付・保守関連データが含まれている。
【００４０】
図４は、各機能の連係状態を説明するフローチャートである。本システムの構成は大別して、下記の６ステップから構成される。第１ステップＴ１として、営業担当者が見積もり情報を入力する。第２ステップＴ２として、営業担当者が設計担当者へ作図を依頼する。第３ステップＴ３として、設計担当者が据付図と意匠図を作図する。第４ステップＴ４として、設計担当者が保管図面ＤＢに図面を保管する。第５ステップＴ５として、工務担当者がお客様からの顧客要求を入力する。第６ステップＴ６として、工務担当者が製作情報を決定する。
【００４１】
第１ステップＴ１：営業担当者が見積もり情報を入力する段階（顧客要求見積もり段階）
まず、顧客要求見積もり段階として顧客要求を受ける。ここで、エレベータの機種、かご室の仕様、乗り場の仕様などが提示される（ステップＴ１１）。
【００４２】
図４ａは、見積もり情報入力例を示す。
【００４３】
次に、建築図の内容検討を行う。つまり、エレベータが据え付けられる建物の建築図面から、床面積や階高など建物に関する概略情報を入手する（ステップＴ１２）。建築図を含む建物情報の入力例を図４ｂに示す。
【００４４】
次いで、見積もり仕様情報ＤＢの入力を行う。つまり、顧客要求と建築図に基づき、仕様決定支援システム５２ヘ見積もり情報を入力する。すると、受注売り上げ管理システム６０に組み込まれた製作仕様情報ＤＢへ見積もり情報を自動的に複写する（ステップＴ１３）。
【００４５】
続いて、仕様決定ルールＤＢを使用して、見積もり情報の整合性を自動的にチェックする（ステップＴ１４）。
【００４６】
第２ステップＴ２：営業担当者が設計担当者へ作図を依頼する段階
この、仕様決定支援システム５２に入力された見積もり情報から、見積もり仕様データを書き出す。そして、書き出された見積もり仕様データを設計担当者へ送信する（ステップＴ２１）。
【００４７】
第３ステップＴ３：設計担当者が据付図面および意匠図面を作図する段階
営業担当者から受け取った見積もり仕様データの入力および確認を行う。図４ｃは、見積もり仕様データの入力・確認例である。
【００４８】
次に、建築図の詳細内容の検討を行う。つまり、エレベータが据え付けられる建物の建築図面から、壁、梁、柱、床など建物に関する詳細情報を入手する（ステップＴ３１）。
【００４９】
次に、躯体情報ＤＢの入力を行う。つまり、建築図に基づいて建物の骨組みや強度に関する情報を入力する。
【００５０】
図４ｄは、建築図を含む躯体情報の入力例を示す。躯体情報は、ＣＡＤシステム５５に組み込まれた作図仕様情報ＤＢへ自動的に複写される（ステップＴ３２）。
【００５１】
次いで、作図仕様情報ＤＢへの入力を行う。つまり、見積もり仕様データを読み込むとともに、ＣＡＤシステム５５に作図仕様情報（エレベータの配置など）が入力される。
【００５２】
図４ｅは、作図仕様情報の入力例を示す。
【００５３】
作図仕様情報は、機器適用システムに組み込まれた機器情報ＤＢへ自動的に複写される（ステップＴ３３）。
【００５４】
図４ｆは作図仕様情報の元となる機器仕様の入力例を、図４ｇは、機器配置情報の入力例を示している。
【００５５】
次に、機器情報ＤＢへの入力が行われる。つまり、作図仕様情報に基づいてエレベータの機器が自動的に選択される。
【００５６】
その後、ＣＡＤシステム５５に組み込まれた作図仕様情報ＤＢへ機器情報が自動的に複写される（ステップＴ３４）。
【００５７】
次いで、機器決定ルールＤＢを使用して、機器情報の整合性を自動的にチェックする（ステップＴ３５）。
【００５８】
この後、作図機能により、作図仕様情報から、据付図と意匠図を自動的に作成する（ステップＴ３６）。据付図の作図段階では、昇降路平面図、昇降路縦断面図、出入口壁穴明図、レール建図、昇降路平面図、ピット平面図が作図される（ステップＴ３７）。また、意匠図作図段階では、表示装置、かご室などの詳細図が作図される（ステップＴ３８）。
【００５９】
図４ｈは、据付図の出力例を示す。
【００６０】
第４ステップＴ４：設計担当者が図書管理システムに図面を保管する段階
まず、ＣＡＤシステム５５に組み込まれた作図仕様情報ＤＢから、目的とする作図仕様データを書き出し、図書管理システムで保管する（ステッブＴ４１）。
【００６１】
図４ｉは、作図仕様データの表示例を示している。
【００６２】
次に、一時展開ＤＢの入力を行う。つまり、作図仕様データを自動的に読み込むとともに、受注売り上げ管理システム６０に組み込まれた製作仕様情報ＤＢへその作図仕様データを自動的に複写する（ステップＴ４２）。
【００６３】
次いで、書庫ＤＢに、据付図および意匠図を建物毎にまとめて保管する（ステップＴ４３）。
【００６４】
図４ｊは、保管図面リストの例を示している。
【００６５】
第５ステップＴ５：工務担当者が製作情報を入力する段階（顧客要求発注段階）
まず、顧客要求発注段階として顧客要求を受ける。ここで、付加仕様など最終仕様が提示される（ステップＴ５１）。
【００６６】
次に、製作仕様情報ＤＢの入力を行う。つまり、顧客要求に基づき、受注売り上げ管理システム６０に製作情報を入力する。図４ｋは製作情報の入力メニューの例であり、図４ｌは図４ｋのサブメニューである。
【００６７】
仕様決定支援システム５２に組み込まれた見積もり仕様情報ＤＢへ自動的に複写する（ステップＴ５２）。
【００６８】
次いで、仕様決定ルールＤＢを使用して、製作情報の整合性を自動的にチェックする（ステップＴ１４）。図４ｍは、製作情報が格納された状態の例である。
【００６９】
第６ステップＴ６：工務担当者が製作情報を決定する段階
整合性の取られた製作情報を製造システムへ書き出す（ステップＴ６１）。これに基づきエレベータの製造が開始される。
【００７０】
第１の実施形態によれば、仕様データとエレベータの製造図面、据付図面あるいは意匠図面の各図面情報とデータベースの内容との整合性が図られるので、人間系への依存により発生するエレベータの仕様データと製造設計等データとの間の整合性の欠落あるいは矛盾を無くし、人手による図面チェックの手間を短縮することができる。
【００７１】
図２は顧客図面情報の内容を示すもので、顧客別のエレベータの図面番号、エレベータの仕様、エレベータに使用されている機器の名称、例えば使用巻上機の型式番号が示される。
【００７２】
入出力装置により、顧客情報メニューのエレベータと、据付情報の種別を表す据付作業メニューの据付情報の該当項目を選択指示すると、据付図面情報から該当する据付情報が読み取られて、画面に表示される。即ち、顧客情報メニューでメインロープを、据付作業メニューで据付方法を指示すると、据付図面情報からメインロープの据付情報を表示する。ここで、積載荷重の実測値を入力する。
【００７３】
これらの値は、据付図面情報に別途記録されている据付基準に照らして、適合しない場合はその旨を表示すると共に、保守基準が図示される。保守図面設計者は、図示された保守基準に従って修正した後、再度実測値を入力する。
【実施例２】
【００７４】
図５は、本発明の実施例２に係る設計製造支援システムの動作を説明するフローチャートである。なお、システムの全体構成や機能構造は図１、図２と同じである。図５に於いて、設計担当者はまず、図面名及び仕様データを入力する。入力されたデータは、ネットワーク３３を経由して、ホストコンピュータ３０に送信される。ホストコンピュータ３０では、入力されたデータと、予め登録された検索条件と照らし合わせる。
【００７５】
ホストコンピュータ３０の記憶装置３１には、製造設計等データのデータベースに設計上、意匠上、製造上あるいは据付・調整あるいは保守上の制約条件に関する情報が予め格納され、図面作成編集装置により設計図面を作成する段階において、これらの制約条件をチェックし、矛盾する場合に仕様データ入力端末に警報を発する。
【００７６】
この他、制約条件以外にも、例えばコストと予算との関係、標準部品の選択あるいは標準の意匠図や据付図の選択等も検索条件に含まれる。
【００７７】
ホストコンピュータ３０からの応答により制御装置３２は、エレベータの製造図面について、エレベータ独自の制約条件及び契約条件（版権、使用料等）を表示し、設計担当者は、これらの条件に見合った図面を選択する（ステップＵ１）。
【００７８】
つまり、制御装置３２は、入出力装置３５により指定されたエレベータの製造図面をネットワーク３３を介してホストコンピュータ３０に送る。そして記憶装置３１の入力情報内に格納されている製造図面情報を、ネットワーク３３を介してダウンロードし、入出力装置３５にそれらの内容を表示する。設計担当者は、表示された内容から諸条件に見合うような図面を選択する。
【００７９】
次に、設計担当者は、入出力装置３５を介して、制約条件を満たす製造図面等の作成データを入力する（ステップＵ２）。作成した製造図面データと、図面を使用する条件などをホストコンピュータ３０内の製造システム２６に送信する。即ち、設計担当者は図面の作成と編集を行った後に、「送信」ボタンをクリックすると、入力された設計担当者ＩＤ、設計図面等のデータが図面と共にネットワーク３３を通じてホストコンピュータ３０へ送信される。ホストコンピュータ３０は、制御装置３２より送信されてきたデータを、一旦、記憶装置３１に格納する。
【００８０】
次いで、ホストコンピュータ３０は、記憶装置３１内のチェック情報に基いて、送られてきた図面がエレベータの制約事項や図面の使用条件をチェックする（ステップＵ３）。
【００８１】
続いて、エレベータの制約事項及び使用条件を満たしていれば、決定した図面と対応する設計図面データを記憶装置３１から取り出す（ステップＵ４）。
【００８２】
ここで、エレベータの制約事項及び使用条件に問題があれば、例えば警告を発するなどする。
【００８３】
取り出された設計図面データは、製品情報とともに、製造システム２６に送られる。製造システム２６は、送信されてきた設計図面データに基づきエレベータの製造手配を行う。
【００８４】
また、本実施例の設計製造支援システムでは、エレベータ各部品毎の図面もあらかじめ分類された上で記憶装置３１に格納してある。従って、天井やパネルなどの部品が複数リストアップされた場合、顧客が希望する図面に基づいてリストアップされた部品を各種組み合せ、幾つかの全体図面を提示することができる構成になっている。
【００８５】
この実施例２によれば、仕様データとエレベータの製造図面、据付図面あるいは意匠図面を含む製造設計等データが人手を介さず作成されるので、人間系への依存により発生するエレベータの仕様データと製造設計等データとの間の整合性の欠落あるいは矛盾を無くし、人手による図面チェックの手間を短縮することができる。
【実施例３】
【００８６】
図６は、本発明の実施例３に係る設計製造支援システムの動作を説明するフローチャートである。
【００８７】
本実施例において記憶装置３１には、作図に必要なエレベータ設計の制約条件（寸法、形状、色等）や、著作権の帰属など設計担当者（設計会社４５）と管理会社４４との契約条件の情報、製造図面データ、各図面に関連する部品等の図面管理情報、加工情報などの製品情報が格納されている。
【００８８】
ホストコンピュータ３０は、指定されたエレベータの製造図面に応じた、エレベータ設計上の制約条件を表示し、設計担当者は、その条件にあうように図面を選択する（ステップＶ１）。次に、契約条件（版権、使用料等）を表示する（ステップＶ２）。次に、入出力装置３５より、エレベータの意匠図面が指定されると、記憶装置３１の入力情報内に格納されている製造図面をネットワーク３３を通じて設計会社４５の制御装置３２へ送信する（ステップＶ３）。設計担当者は、これら図面を選択し、作図作業を行う（ステップＶ４）。
【００８９】
次に、設計担当者が設計を完了後、図面の使用について登録を行う。これによって管理会社４４は図面の使用について許諾を得る。なお、管理会社４４と設計会社４５との間では、図面の使用について別途正式に契約することが好ましい（ステップＶ５）。
【００９０】
上記により管理会社４４の所有するデータベースには新たな図面ライブラリが構築される。このような手続きを経た後、管理会社４４は、設計会社４５からエレベータを受注する（ステップＶ６）。
【００９１】
次に、管理会社４４では上述のように、図面あるいは設計製造データを設計会社４５に提示する（ステップＶ７）。設計会社は、図面や設計製造データに基づきエレベータ仕様を決定し、管理会社４４に送付する（ステップＶ８）。管理会社４４は、送られてきた仕様データを元に見積もりを行い、顧客に提出する（ステップＶ９）。顧客はこの見積もりを判断し、管理会社４４と契約を結び発注する（ステップＶ１０）。
【図面の簡単な説明】
【００９２】
【図１】本発明に係る設計製造支援システムの全体概要を示す構成図。
【図２】図１に基づく各システムの接続方法を説明する構造図。
【図３】各機能の連係状態を説明するフローチャート。
【図４】本発明の実施例１における運用ステップを説明するフローチャート。
【図４ａ】見積もり情報入力例を示す図。
【図４ｂ】建築図を含む建物情報入力例を示す図。
【図４ｃ】見積仕様データの入力・確認例を示す図。
【図４ｄ】建築図を含む駆体情報の入力例を示す図。
【図４ｅ】作図仕様情報の入力例を示す図。
【図４ｆ】作図仕様情報の元となる機器仕様の入力例を示す図。
【図４ｇ】機器配置情報の入力例を示す図。
【図４ｈ】据付図の出力例を示す図。
【図４ｉ】作図仕様データの表示例を示す図。
【図４ｊ】保管図面リストの例を示す図。
【図４ｋ】製作情報の入力メニュー。
【図４ｌ】図4kの製作情報の入力メニューの例を示す図。
【図４ｍ】製作情報が格納された状態の例を示す図。
【図５】本発明の実施例２に係る設計製造支援システムの動作を説明するフローチャート。
【図６】本発明の実施例３に係る設計製造支援システムの動作を説明するフローチャート。
【符号の説明】
【００９３】
３０  ホストコンピュータ、
３１  仕様データを入力する装置、
３３  ネットワーク、
４４  管理会社、
４５  設計会社、
５７，５８  サーバ
【図１】
2006065742.tif 000003
【図２】
2006065742.tif 000004
【図３】
2006065742.tif 000005
【図４】
2006065742.tif 000006
【図４ａ】
2006065742.tif 000007
【図４ｂ】
2006065742.tif 000008
【図４ｃ】
2006065742.tif 000009
【図４ｄ】
2006065742.tif 000010
【図４ｅ】
2006065742.tif 000011
【図４ｆ】
2006065742.tif 000012
【図４ｇ】
2006065742.tif 000013
【図４ｈ】
2006065742.tif 000014
【図４ｉ】
2006065742.tif 000015
【図４ｊ】
2006065742.tif 000016
【図４ｋ】
2006065742.tif 000017
【図４ｌ】
2006065742.tif 000018
【図４ｍ】
2006065742.tif 000019
【図５】
2006065742.tif 000020
【図６】
2006065742.tif 000021